(57)【要約】【課題】アノード排ガスから水素を分離する電気化学的水素ポンプの印加電圧の急変を抑制する。【解決手段】燃料電池１のアノード側の排ガスから電気化学的水素ポンプ６にて水素を分離して、該水素をアノードへ再度供給する燃料電池システムにおいて、電気化学的水素ポンプ６内の前記排ガスを貯留する部分６２における中央側よりも入口側のほうの断面積を大きくする。断面積が大きくなることにより、水素濃度の低下が緩やかになるため、電圧の変化が緩やかになる。【選択図】図１
2011023226.tif 000002
【特許請求の範囲】
【請求項１】
燃料電池のアノード側の排ガスから電気化学的水素ポンプにて水素を分離して、該水素をアノードへ再度供給する燃料電池システムにおいて、
前記電気化学的水素ポンプ内の前記排ガスを貯留する部分における中央側よりも入口側のほうの断面積を大きくすることを特徴とする燃料電池システム。
【発明の詳細な説明】
【技術分野】
【０００１】
本発明は、燃料電池システムに関する。
【背景技術】
【０００２】
燃料電池システムのセルスタックから排出されるガス（以下、アノード排ガスという。）中には、発電に使用されなかった水素が含まれる。この水素を再循環させて再利用することで、燃料電池システムの効率を高めることができる。ところで、アノード排ガス中には窒素等の不純物が含まれており、水素と共に不純物を再循環させると、不純物の濃度が徐々に高まる。このように不純物の濃度が高まると、燃料電池の発電量が低下してしまう。これに対し、不純物と水素とを分離する電気化学的水素ポンプを備え、該ポンプにアノード排ガスが流入する入口と、水素を分離後の不純物を排出するための出口と、を設け、この出口を重力方向で最下部となるように設置する技術が知られている（例えば、特許文献１参照。）。
【０００３】
ここで、電気化学的水素ポンプにおいて、アノード排ガスを貯留しつつ水素を分離する（すなわち不純物を濃縮する）濃縮部が設けられている。そして、濃縮部には、電気化学的水素ポンプにおいて分離された水素と同じ量のアノード排ガスが流入する。また、濃縮部内では水素が分離されつつアノード排ガスが流入するため、該濃縮部の出口側では、入口側と比較して、不純物の濃度が高く且つ水素濃度が低くなる。つまり、出口側に向かうに従い窒素等の濃度が高くなる。そして、濃縮部の出口側から窒素が濃縮されると、水素が反応可能な面積、すなわち、水素が触媒に接する面積が徐々に減少する。
【０００４】
ここで、電解質膜の面積抵抗は同じであっても、電流集中により抵抗値は増加し、ＩＲ損失分だけ印加電圧が増加する。これにより窒素の濃縮が進み、濃縮部の出口から排出するガス中の水素濃度を低くすることが可能となる。この過程において電流は一定のため、反応面積と電流密度とは反比例する。そうすると、窒素の濃縮が進むほど、電圧の変化率が高くなる。
【０００５】
一方、濃縮部の出口から不純物を排出するときには、水素の排出量を可及的に少なくなることが望ましい。ここで、水素濃度が低いときには、電気化学的水素ポンプの印加電圧の変化率が大きくなるため、このときに濃縮部から排出されるのが良い。この電圧の変化は、水素濃度により異なる。そして、水素濃度が低い場合には不純物の濃度が高く、同一電流であっても不純物濃度の濃縮速度が速くなり且つ反応面積の減少速度も速くなる。このため、電圧の変化率を検知してから、ガスを排出させる弁を開くまでの応答差により、電圧が大きく変化してしまう。そうすると、印加電圧の急上昇による燃費の悪化や電気化学的水素ポンプの触媒の劣化を招く虞がある。
【先行技術文献】
【特許文献】
【０００６】
【特許文献１】特開２００６−０１９１２２号公報
【特許文献２】特開２００５−２６８０５６号公報
【特許文献３】特開２００５−２４３４７７号公報
【特許文献４】特開２００８−２２６６５７号公報
【特許文献５】特開２００８−１１２５８５号公報
【発明の概要】
【発明が解決しようとする課題】
【０００７】
本発明は、上記したような問題点に鑑みてなされたものであり、アノード排ガスから水素を分離する電気化学的水素ポンプの印加電圧の急変を抑制する技術の提供を目的とする。
【課題を解決するための手段】
【０００８】
上記課題を達成するために本発明による燃料電池システムは、以下の手段を採用した。すなわち、本発明による燃料電池システムは、
燃料電池のアノード側の排ガスから電気化学的水素ポンプにて水素を分離して、該水素をアノードへ再度供給する燃料電池システムにおいて、
前記電気化学的水素ポンプ内の前記排ガスを貯留する部分における中央側よりも入口側のほうの断面積を大きくすることを特徴とする。
【０００９】
すなわち、電気化学的水素ポンプの入口付近の通路断面積が大きい。ここで、電気化学的水素ポンプに流入するアノード排ガスの流速よりも、濃縮された窒素等の拡散速度のほうが遅いため、濃縮された不純物は排ガスを貯留する部分における出口側から溜まる。この出口側から中央付近までは、通路断面積が小さいために水素の絶対量が少ないので、水素濃度が低下する速度が次第に速くなるので、電圧の上昇率が次第に増加する。そして、不純物の濃縮が進むに従って、不純物濃度の高い領域が入口側へ拡がる。入口付近では通路断面積が比較的大きいために、水素の絶対量が多い。このため、水素を分離するのに時間がかかるので、水素濃度の低下に時間がかかる。このため、電圧の変化は比較的緩やかになる。このときに、電気化学的水素ポンプから不純物を排出させると、応答遅れ中の電圧の変化量が小さくて済む。つまり、応答遅れにより電圧が高くなりすぎることを抑制できる。
【００１０】
そして、排ガスを貯留する部分における出口側では、不純物が濃縮されているため、水素濃度の低いガスを排出させることができる。
【００１１】
なお、出口側の通路断面積も併せて大きくしても良い。すなわち、通路の中央付近の通路断面積のみを小さくしても良い。そうすると、出口付近または入口付近で不純物が濃縮されているときには、電圧の上昇が比較的緩やかになる。一方、通路の中間付近で不純物が濃縮されているときには、電圧の上昇が比較的速く進む。出口側での容量が大きくなることで、より長い時間で電圧の急変を生じさせないようにできる。また、有効膜面積を広く保つことができるため、不純物の濃縮をより促進することができる。さらに、入口側だけ通路断面積を拡大すると、出口側の外部に無駄な空間ができるが、出口側も通路断面積を拡大することにより、空間の有効利用が可能となる。
【発明の効果】
【００１２】
本発明によれば、アノード排ガスから水素を分離する電気化学的水素ポンプの印加電圧の急変を抑制することができる。
【図面の簡単な説明】
【００１３】
【図１】実施例に係る燃料電池システムの概略構成を示すものである。
【図２】水素ポンプの概略構成図である。
【図３】濃縮部の入口から出口までの水素と窒素との濃度の分布を示した図である。
【図４】水素ポンプの印加電圧の推移を示したタイムチャートである。
【図５】説明のために濃縮部を複数の領域に分けたときの図である。
【図６】実施例２に係る水素ポンプの概略構成を示すものである。
【図７】水素ポンプの印加電圧の推移を示したタイムチャートである。
【図８】説明のために濃縮部を複数の領域に分けたときの図である。
【発明を実施するための形態】
【００１４】
以下、本発明に係る燃料電池システムの具体的な実施態様について図面に基づいて説明する。
【実施例１】
【００１５】
図１は、本実施例に係る燃料電池システムの概略構成を示すものである。この燃料電池システムは、燃料ガスと酸化剤ガスとを燃料電池１に供給して燃料電池１内部での電気化学反応により電力を得るものである。図１は、燃料ガスである水素の供給経路及び循環経路を示しており、酸化剤ガスの供給経路は省略している。
【００１６】
燃料電池１は、水素が供給される燃料極（アノード）と、空気が供給される空気極（カソード）とが電解質を挟んで重ね合わされて構成される発電セルを主要な構成要素とするものであり、例えば、複数の発電セルが多段積層されたスタック構造とされている。
【００１７】
燃料電池１の各発電セルは、水素供給系から供給される水素と空気供給系から供給される空気中の酸素とによる電気化学反応により化学エネルギを電気エネルギに変換する。すなわち、各発電セルのアノードでは、水素供給手段から水素が供給されることで水素イオンと電子とに解離する反応が起き、水素イオンは電解質を通り、電子は外部回路を通って電力を発生させ、カソード側にそれぞれ移動する。一方、カソードでは、空気供給系から供給された空気中の酸素と前記水素イオン及び電子が反応して水が生成され、外部に排出される。
【００１８】
燃料電池１の電解質としては、例えば固体高分子電解質膜が用いられる。固体高分子電解質膜は、例えばフッ素樹脂系イオン交換膜等、イオン（プロトン）伝導性の高分子膜からなるものであり、飽和含水することによりイオン伝導性電解質として機能する。
【００１９】
水素供給系は、燃料電池１の各発電セルのアノードに燃料ガスである水素を供給するためのものであり、水素供給源としての水素タンク２を備えている。この水素タンク２から取り出した水素を水素供給経路３を通して燃料電池１のアノードへと供給する。また、本実施例の燃料電池システムは、燃料電池１のアノード出口から排出されるアノード排ガスをアノード入口側へと循環させて再利用する水素循環方式の燃料電池システムとして構成されている。そして、燃料電池１のアノード出口側とアノード入口側の水素供給経路３とを繋ぐように、アノード排ガスが流れる循環経路４が接続されている。
【００２０】
循環経路４の途中には、アノード排ガスから水を分離する気液分離装置５が設けられている。気液分離装置５で分離される水は、該気液分離装置５の底部に溜まる。この気液分離装置５の底部には、該気液分離装置５から水を排出するための水排出経路５１が接続されている。この水排出経路５１の途中には、水排出経路５１を遮断する遮断弁５２が設けられている。遮断弁５２は、所定の時期に開いて気液分離装置５から水を排出させる。
【００２１】
循環経路４は、気液分離装置５から２つに分岐している。一方の循環経路４１には、電気化学的水素ポンプ６（以下、水素ポンプ６という。）が設けられており、一方の循環経路４１と他方の循環経路４２は該水素ポンプ６の下流で合流している。この合流部よりも下流の循環経路４には、水素ポンプ６から流出する水素を循環させるための循環ポンプ７が設けられている。
【００２２】
水素ポンプ６は、電解質に固体高分子膜を用いた固体高分子型の燃料電池１と同様の構造を有するものであり、固体高分子電解質膜６１を挟んで濃縮部６２と出口部６３とが対設されたポンプセルを主要な構成要素としている。複数のポンプセルが多段積層されたスタック構造としても良い。そして、この水素ポンプ６は、各ポンプセルの濃縮部６２側が
燃料電池１のアノードの出口側、各ポンプセルの出口部６３側が燃料電池１のアノードの入口側に繋がるように循環経路４中に設置されている。なお、本実施例においては濃縮部６２が、本発明における排ガスを貯留する部分に相当する。
【００２３】
濃縮部６２には、該濃縮部６２において濃縮された不純物を排出するための排出経路８が循環経路４１と対称の位置に接続されている。この排出経路８の途中には、開閉弁９が設けられている。この開閉弁９及び遮断弁５２は、電子制御装置であるＥＣＵ１０により操作される。
【００２４】
ところで、本実施例に係る水素ポンプ６は、濃縮部６２の入口側（濃縮部６２の循環経路４１が接続されている側）の通路断面積が大きくされている。この通路断面積が大きくされている部分を以下、入口側拡大部６４と称する。
【００２５】
ここで、図２は、水素ポンプ６の概略構成図である。図２（Ａ）は、本実施例に係るものであり、図２（Ｂ）は、従来相当の通路断面積を持つものである。
【００２６】
水素ポンプ６の各ポンプセルでは、駆動回路の作動により固体高分子電解質膜６１に電流が流されることで、濃縮部６２側に供給されるアノード排ガス中の水素を選択的に固体高分子電解質膜６１を透過させて出口部６３側へと移動させる。
【００２７】
すなわち、各ポンプセルの濃縮部６２側では、供給されたアノード排ガス中の水素が水素イオンと電子とに解離する反応が起き、水素イオンは固体高分子電解質膜６１を通過し、電子は駆動回路によってポンプ外部を流され、それぞれ出口部６３側へと移動する。そして、出口部６３側で、固体高分子電解質膜６１を通過した水素イオンと駆動回路によりポンプ外部を流された電子とが結合して水素が生成され、出口部６３から循環経路４に排出される。
【００２８】
ここで、燃料電池１のカソード側からアノード側へと透過してきた窒素や、燃料ガス中に含まれる不純物等が水素供給系内に徐々に蓄積されていく。このとき、本実施例に係る燃料電池システムでは、水素ポンプ６によりアノード排ガス中の水素を選択的に取り出して循環させるようにしているので、窒素等の不純物は、水素ポンプ６の濃縮部６２側に蓄積される。
【００２９】
そこで、本実施例に係る燃料電池システムでは、水素ポンプ６の濃縮部６２側に不純物が蓄積されて十分に濃縮されたときに、開閉弁９を開くと共に、所定時間経過後に開閉弁９を閉じる動作を繰り返し行うようにしている。これにより、水素供給系中の不純物を選択的に循環経路４の外部に排出することが可能となり、無駄に排出する水素量を極力低減することができる。
【００３０】
ここで、図３は、濃縮部６２の入口から出口までの水素と窒素との濃度の分布を示した図である。図３（Ａ）は、水素ポンプ６を示し、図３（Ｂ）から（Ｆ）までは、図３（Ａ）に対応する夫々の位置における水素と窒素との比を示している。そして、水素濃度の推移を図３（Ｂ）から（Ｆ）まで順に示している。なお、不純物は全て窒素ガスであるとして以下に説明する。また、図３（Ｂ）から（Ｆ）において、斜線で示した範囲は水素と窒素との混合ガスであるアノード排ガスの範囲を示し、その他の範囲はアノード排ガスから水素が分離した後の窒素ガスの範囲を示している。
【００３１】
水素ポンプ６に流入するアノード排ガス中の水素の比が例えば８０％である場合、水素ポンプ６にアノード排ガスが流入した直後には、図３（Ｂ）に示すように、濃縮部６２内のアノード排ガス中の水素の比も８０％となる。
【００３２】
そして、水素ポンプ６にて水素が分離されると、その分、濃縮部６２内のガスが減少する。そこへ新たにアノード排ガスが流入する。水素が分離された後の窒素の拡散速度よりも、アノード排ガス（窒素と水素との混合ガス）の流速のほうが速いため、アノード排ガスにより窒素は濃縮部６２の出口側へ押し込まれる。このため、図３の（Ｂ）から（Ｅ）に示すように、濃縮部６２の出口側から入口側へ向けて徐々に窒素の比率が上昇し、水素の比率が下降する。そして、略窒素のみが存在する領域が濃縮部６２の出口側から入口側へ向けて徐々に拡大する。
【００３３】
その後、図３（Ｅ）のように濃縮部６２内が殆ど窒素で満たされたときに、開閉弁９を開く。水素ポンプ６内のガスは、アノード排ガスに押されて開閉弁９を通過し、大気中へ放出される。このときの濃縮部６２内の特に出口側には殆ど水素が存在していないため、水素ポンプ６から窒素のみを排出させることができる。つまり、高濃度の不純物を排出することが可能となる。そして、図３（Ｆ）に示すように、濃縮部６２内がまたアノード排ガスで満たされたときに開閉弁９を閉じれば、水素が排出されることを抑制できる。
【００３４】
開閉弁９の開放時期は、水素ポンプ６の印加電圧の変化率を基準値と比較することにより判定する。濃縮部６２では、窒素が濃縮されていき、水素の反応面積（有効膜面積）が徐々に減少していく。固体高分子電解質膜６１における面積抵抗は同じでも、電流集中により抵抗値は増加するため、印加電圧が増加する。そして、固体高分子電解質膜６１に流れる電流は一定であるため、水素の反応面積と電流密度とは反比例する。例えば反応面積が半分になれば、電流密度は倍になり、反応面積が４分の１になれば、電流密度は４倍となる。このため、窒素の濃縮が進むほど、電圧の変化率が高くなる。つまり、窒素の濃縮が進むほど、より急激に電圧が変化する。なお、印加電圧が水の電気分解に十分な電圧になると、水素のない部位においても水の分解が始まり触媒等を劣化させるため、このような状態は避けなければならない。
【００３５】
ここで、水素の排出を抑制するためには、濃縮部６２に水素が殆どないか少ない状態で開閉弁９を開く必要がある。この時期は、電圧の変化率が高くなるときである。しかし、電圧の変化率は水素濃度により大きく変わる。例えば水素濃度が比較的低い場合には、不純物の濃度が比較的高いため、電流が同じとしても不純物の濃縮速度が速く且つ反応面積の減少速度も速い。このため、開閉弁９を開く判定がなされてから、実際に開閉弁９が開くまでの時間差により、電圧が大きく変化してしまう。つまり、応答遅れが生じる。
【００３６】
これに対し本実施例では、図２（Ａ）に示すように、濃縮部６２の入口側の通路断面積を中央付近と比較して大きくした入口側拡大部６４を設けている。ここで、電圧の変化は、有効発電面積の変化によって引き起こされる。そして、水素の反応量が一定と仮定した場合には、（有効面積）×（電流密度）は一定となる。また、窒素濃度により有効発電面積の時間変化量が増加する。
【００３７】
そうすると、窒素の領域が入口側拡大部６４内を拡大するときの電圧の変化が緩慢となる。すなわち、濃縮部６２の入口側において通路断面積が大きいことにより水素の絶対量が多くなるため、反応により水素が減少したとしても、水素濃度の減少は緩慢となる。そのため、濃縮部６２の入口側での有効面積が減少する速度が小さくなるので、印加電圧の増加速度が低くなる。つまり、電圧の変化が緩慢となる。
【００３８】
一方、濃縮部６２の出口側では通路断面積が比較的小さくなっているため、窒素の拡散速度よりもアノード排ガスの流速のほうが高いため、窒素を多く含む不純物がアノード排ガスにより濃縮部６２の出口側へ押される。これにより、不純物が濃縮される。
【００３９】
また、出口側では、水素と窒素との混合ガスであるアノード排ガスの流速が、濃縮された不純物である窒素の拡散速度よりも高くなる。そのため、混合ガスが窒素を出口側へ押し流し、水素濃度の低いガスを出口から排出させることができる。入口側拡大部６４の大きさは、系の応答性等を考慮して実験等により得ることができる。
【００４０】
次に、図４は、水素ポンプ６の印加電圧の推移を示したタイムチャートである。図４（Ａ）は濃縮部６２の入口側の通路断面積を大きくしていない従来相当の場合を示し、図４（Ｂ）は濃縮部６２の入口側の通路断面積を大きくした本実施例による場合を示している。
【００４１】
また、図５は、説明のために濃縮部６２を複数の領域に分けたときの図である。図５では濃縮部６２をＥとＦの２つの領域に分けている。Ｅで示される領域は通路断面積を大きくしていない領域であり、Ｆで示される領域は通路断面積を大きくしている領域である。
【００４２】
水素が分離された窒素がトリガー位置に達したときに開閉弁９を開く指令が出される。このときに、Ｅで示される領域は窒素の拡散を抑制するための領域といえ、Ｆで示される領域は水素が分離された窒素がトリガー位置に達してから開閉弁９が開くまでの間の電圧変化を緩やかにするための領域といえる。窒素の領域が濃縮部６２の出口側から入口側へ向かって進行するときの窒素とアノード排ガスとの境界Ｇを破線で示している。この境界ＧがＥで示される領域を通過している際の電圧変化が図４におけるＥで示される時間における電圧変化に対応し、Ｆで示される領域を通過している際の電圧変化が図４におけるＦで示される時間における電圧変化に対応している。なお、図４においてＧで示される時期は、水素が分離された窒素がトリガー位置に達した時期を示している。
【００４３】
上述のように、濃縮部６２の出口側の通路断面積の小さなところ（領域Ｅ）から不純物が濃縮される。水素の分離が開始された直後には、水素濃度が高いため電圧の変化率は比較的低い。そして、不純物の濃縮が進むに従って、不純物の濃度が高い領域が濃縮部６２の入口側へ向かって拡がる。そして、不純物の濃度が高い領域が濃縮部６２の中央付近まで進んだときには、該中央付近では通路断面積が小さいために水素の絶対量は少ないので、水素濃度が速やかに低下する。このため、電圧の変化率が徐々に高くなる。そして、不純物の濃度が高い領域が濃縮部６２の入口側（領域Ｆ）まで進むと、該入口側では通路断面積が大きくなるために、水素の絶対量が多いので、水素濃度を低下させるのに時間がかかる。そのため、電圧の変化率は比較的低くなる。すなわち、境界Ｇがトリガー位置まで進行してから開閉弁９が開くまでに応答差があっても、この最中の電圧の変化率を小さくすることができる。
【００４４】
以上説明したように本実施例によれば、アノード排ガスから水素を分離する水素ポンプ６の印加電圧の急変を抑制することができる。これにより、印加電圧の急上昇による燃費の悪化や電気化学的水素ポンプの触媒の劣化を抑制できる。
【実施例２】
【００４５】
図６は、本実施例に係る水素ポンプ６の概略構成を示すものである。本実施例に係る水素ポンプ６は、濃縮部６２の入口側に加えて出口側の通路断面積も大きくしている。すなわち、濃縮部６２の中央付近の通路断面積のみが比較的小さい。この通路断面積が大きくされている出口部分を以下、出口側拡大部６５と称する。その他の装置については実施例１と同じため説明を省略する。
【００４６】
図７は、水素ポンプ６の印加電圧の推移を示したタイムチャートである。図７（Ａ）は濃縮部６２の通路断面積を大きくしていない従来相当の場合を示し、図７（Ｂ）は濃縮部６２の入口側及び出口側の通路断面積を大きくした本実施例による場合を示している。
【００４７】
また、図８は、説明のために濃縮部６２を複数の領域に分けたときの図である。図８では濃縮部６２をＨとＩとＪとの３つの領域に分けている。Ｈで示される領域は濃縮部６２の出口側で通路断面積を大きくしている領域であり、Ｉで示される領域は通路断面積を大きくしていない領域であり、Ｊで示される領域は濃縮部６２の入口側で通路断面積を大きくしている領域である。
【００４８】
Ｈで示される領域は固体高分子電解質膜６１の有効面積を確保し、電圧変化を緩慢とするために窒素を溜める領域である。Ｉで示される領域は、図５のＥで示される領域に相当し、Ｊで示される領域は、図５のＦで示される領域に相当する。境界Ｇが図８のＨ，Ｉ，Ｊで示される領域を通過している際の夫々の電圧変化が図におけるＨ，Ｉ，Ｊで示される時間における電圧変化に対応している。
【００４９】
境界ＧがＨの領域を通過している場合には、通路断面積が大きいために水素濃度の低下が緩慢となるため、電圧の低下も緩やかになる。また、Ｉ，Ｊの領域では、実施例と同様の電圧変化となる。なお、図７においてＧで示される時期は、水素が分離された窒素がトリガー位置に達した時期を示している。
【００５０】
ここで、濃縮部６２の出口側の通路断面積を大きくすることにより、該出口側により多くの窒素ガスを溜めることができる。これにより、固体高分子電解質膜６１の有効面積を確保することできる。また、より長い時間、電圧が急変することを抑制できる。これにより、濃縮された不純物を排出するときの制御性を向上させることができる。また、水素の排出量をより低減させることができる。さらに、濃縮部６２の入口側の通路断面積と併せて出口側の通路断面積を大きくしているため、空間の有効利用が可能となる。
【符号の説明】
【００５１】
１     燃料電池
２     水素タンク
３     水素供給経路
４     循環経路
５     気液分離装置
６     電気化学的水素ポンプ
７     循環ポンプ
８     排出経路
９     開閉弁
１０   ＥＣＵ
４１   循環経路
４２   循環経路
５１   水排出経路
５２   遮断弁
６１   固体高分子電解質膜
６２   濃縮部
６３   出口部
６４   入口側拡大部
６５   出口側拡大部
【図１】
2011023226.tif 000003
【図２】
2011023226.tif 000004
【図３】
2011023226.tif 000005
【図４】
2011023226.tif 000006
【図５】
2011023226.tif 000007
【図６】
2011023226.tif 000008
【図７】
2011023226.tif 000009
【図８】
2011023226.tif 000010